(57)【要約】      （修正有）【課題】軽量且つコンパクトで、洗濯時ならびに洗濯乾燥時に形崩れしないブラジャー専用の物干しハンガーを提供する。【解決手段】洗濯ロープ等に引っ掛ける吊持フック部１０と、ブラジャーを挟み込む挟持クリップ部２０と、ブラジャーの形を整えて保持する二つの椀形支持体３０と、該二つの椀形支持体を連結する連結ブリッジ部４０から構成され、吊持フック部と前挟持クリップ部の回動ジョイント同士を連結して回動可能とし、さらに、椀形支持体と前連結ブリッジ部、及び前記挟持クリップ部と連結ブリッジ部の固定ジョイント同士を其々連結固定して組み立てられる手段と、吊持フック部の頂点付近に広角状の導入部と、テーパ状の締め付け部と、平行間隔の固定部の三段階構造で形成される洗濯ロープ移動防止溝を設けた手段と、椀形支持体を組み合わせた球状支持体と、伸縮性を有する洗濯ネット袋とから成る。【選択図】図１
0003163737.tif 000002
【実用新案登録請求の範囲】
【請求項１】
洗濯乾燥時に使用されるブラジャー専用の物干しハンガーであって、
洗濯ロープ等に引っ掛ける吊持フック部と、ブラジャーを挟み込む挟持クリップ部と、ブラジャーの形を整えて保持する二つの椀形支持体と、該二つの椀形支持体を連結する連結ブリッジ部から構成され、
前記吊持フック部は、線形部材で略Ｃ字状に形成される下方基部に回動ジョイントを設けて成り、
前記挟持クリップ部は、線形部材で略Ｓ字状に形成され、上端部には回動ジョイントを設け、下端部には固定ジョイントを回転防止ならびに補強構造を備えて成り、
前記椀形支持体は、左右対称の二つの椀状の骨組み構造を有し、下部周縁のフランジ部側面に固定ジョイントを設けて成り、
前記連結ブリッジ部は、二つの前記椀形支持体に挟まれる両側面部と前方部とに固定ジョイントを設けて成り、
前記吊持フック部と前記挟持クリップ部の回動ジョイント同士を連結して回動可能とし、
さらに、前記椀形支持体と前記連結ブリッジ部、及び前記挟持クリップ部と前記連結ブリッジ部の固定ジョイント同士を其々連結固定して組み立てられることを特徴とするブラジャー用物干しハンガー。
【請求項２】
前記吊持フック部の頂点付近に広角状の導入部と、テーパ状の締め付け部と、平行間隔の固定部の三段階構造で形成される洗濯ロープ移動防止溝を設けたことを特徴とする請求項１記載のブラジャー用物干しハンガー。
【請求項３】
二つの前記椀形支持体を組み合わせた球状支持体と、伸縮性を有する洗濯ネット袋と、から構成されるブラジャー専用の物干しハンガーであって、
前記球状支持体は、フランジ部の底面に着脱自在に連結する嵌め合い溝を介して組み合わされる二つの前記椀形支持体から成り、
前記洗濯ネット袋は、ファスナーで開閉自在に収納することができる伸縮性を有するネット状の袋体を形成して成り、
ブラジャーの二つのカップ部で前記球状支持体を被包し、該球状支持体の骨組み構造の隙間内にブラジャーの締付けバンドならびに肩紐を押し込んで伸縮性を有する洗濯ネット袋に収納することで締め付けられることによって、洗濯時のブラジャーの形崩れを防止することを特徴とする請求項１または請求項２記載のブラジャー用物干しハンガー。
【考案の詳細な説明】
【技術分野】
【０００１】
本考案は、洗濯用形崩れ防止具を備えるブラジャー用物干しハンガーに関する。
【背景技術】
【０００２】
現在、一般に普及しているブラジャーの洗濯乾燥時の形崩れを防止する物干し用のハンガーは、椀状ならびに板状や線形の支持体で形成される物干し用のハンガーが提供されている。
【０００３】
例えば、ブラジャーのカップ部が椀状の支持体で支持される「ブラジャー用ハンガー」（特許文献１参照）は、ブラジャーのカップ部が椀状の支持体で支持される構造から、洗濯乾燥時においては形崩れし難いが、ブラジャーをハンガーにセットする作業や、物干しハンガー本体の準備・組立作業においては手間を要するものであり、また接触面が椀状の面体で支持されるため風通しが悪く、さらに物干しハンガー自体がコンパクト性に欠ける上、構造が複雑であることから製品のコスト高を招くものであった。
【０００４】
また、ハンガー本体にブラジャーの二つの膨出部分（カップ部）の内方に保形可能な胸当部を当接する「衣料用ハンガー」（特許文献２参照）は、ハンガー自体が折り畳まれて平面的に収納される利点があるが、ブラジャーの膨出部分が平板状の胸当部で横向きの状態で当接されるため、水分を含んだブラジャーの膨出部分が自重によって形崩れし易く、さらにブラジャーが横向きに保持される形態を維持するにはブラジャー自体を何らかの方法で締め付け又は挟持する構造と手間を必要とするものであり、またハンガー自体がコンパクト性に欠ける上、構造が複雑であることから製品のコスト高を招くものであった。
【０００５】
また、針金を立体形状に湾曲させて衣料の内部に空間が空くようにした「立体式針金ハンガー」（特許文献３参照）は、針金を立体的に湾曲させて衣料の内部の風通しを良くすることによって洗濯乾燥時間を早めようとする提案であるが、複雑な形状で形成されるブラジャーのような衣類に関しては、針金を単純に湾曲させた立体構造では、ブラジャーをバランス良く保持することができないものであった。
【０００６】
一方、洗濯時におけるブラジャーの形崩れを防止する器具としては、「ブラジャー洗濯用器具」（特許文献４参照）や、「ブラジャー用洗濯ケース」（特許文献５参照）などが提案されているが、これらの提案は、基本的には折り曲げ自在なカップ支持体にブラジャーを被せて洗濯ネットに収納する手段を採用しているもので、これらの物干しハンガーと型崩れを防止する器具のブラジャーの支持体は、類似的な形状を形成しているが、製品全体の構造は使用目的を大きく異にするものであった。
【０００７】
本考案者は以上のような状況を鑑み、洗濯乾燥を行う上で軽量且つ簡易的な骨組み構造とし、構成される部品を組立て式にすることによって部品の製造コストの低減を図り、さらに洗濯ピンチなどを使用しない使い勝手の良いブラジャー専用の物干しハンガーを開発すると共に、該物干しハンガーの一部品を利用した洗濯用形崩れ防止具を開発し、本考案におけるブラジャー用物干しハンガーの提案に至るものである。
【先行技術文献】
【特許文献】
【０００８】
【特許文献１】特開２００８-１８８４４３号公報
【特許文献２】特開平１１-２６６９９１号公報
【特許文献３】実用新案登録第３１０９２９８号公報
【特許文献４】実開昭６２−１９９０７６号公報
【特許文献５】実用新案登録第３１３３１８６号公報
【考案の概要】
【考案が解決しようとする課題】
【０００９】
本考案は、上記問題点に鑑み、軽量且つコンパクトで、洗濯時ならびに洗濯乾燥時に形崩れしないブラジャー専用の物干しハンガーの提供を図る。
【課題を解決するための手段】
【００１０】
本考案は、上記目的を達成するために、洗濯ロープ等に引っ掛ける吊持フック部と、ブラジャーを挟み込む挟持クリップ部と、ブラジャーの形を整えて保持する二つの椀形支持体と、該二つの椀形支持体を連結する連結ブリッジ部から構成され、吊持フック部は、線形部材で略Ｃ字状に形成される下方基部に回動ジョイントを設けて成り、挟持クリップ部は、線形部材で略Ｓ字状に形成され、上端部には回動ジョイントを設け、下端部には固定ジョイントを回転防止ならびに補強構造を備えて成り、椀形支持体は、左右対称の二つの椀状の骨組み構造を有し、下部周縁のフランジ部側面に固定ジョイントを設けて成り、連結ブリッジ部は、二つの椀形支持体に挟まれる両側面部と前方部とに固定ジョイントを設けて成り、吊持フック部と前記挟持クリップ部の回動ジョイント同士を連結して回動可能とし、さらに、椀形支持体と前記連結ブリッジ部、及び挟持クリップ部と連結ブリッジ部の固定ジョイント同士を其々連結固定して組み立てられる手段を採る。
【００１１】
また本考案は、吊持フック部の頂点付近に広角状の導入部と、テーパ状の締め付け部と、平行間隔の固定部の三段階構造で形成される洗濯ロープ移動防止溝を設けた手段を採る。
【００１２】
また本考案は、二つの椀形支持体を組み合わせた球状支持体と、伸縮性を有する洗濯ネット袋と、から成る洗濯用形崩れ防止具であって、該球状支持体は、フランジ部の底面に着脱自在に連結する嵌め合い溝を介して組み合わされる二つの椀形支持体から成り、洗濯ネット袋は、ファスナーで開閉自在に収納することができる伸縮性を有するネット状の袋体を形成して成り、ブラジャーのカップ部で球状支持体を被包し、該球状支持体の骨組み構造の隙間内にブラジャーの締付けバンドならびに肩紐を押し込んで伸縮性を有する洗濯ネット袋に収納することで締め付けられることによって、洗濯時のブラジャーの形崩れを防止する手段を採る。
【考案の効果】
【００１３】
本考案のブラジャー用物干しハンガーによれば、ハンガー本体が五つの主要パーツに分割されて単純な形状で形成されることから、合成樹脂による射出成型を容易にすることで製造コストの低廉が図られる優れた効果を奏する。
【００１４】
また、本考案のブラジャー用物干しハンガーによれば、椀形支持体の形状が、上向きで且つ骨組み構造であることから、洗濯乾燥時においてセットされたブラジャーが、最小限の接触状態で形崩れすることなく安定的に保持される優れた効果を奏する。
【００１５】
また、本考案のブラジャー用物干しハンガーによれば、使用する人のブラジャーの大きさに合わせて二つの椀形支持体を別個に選択することができるため、使用する人のバストの大きさに合ったブラジャー用物干しハンガーを使用することができる優れた効果を奏する。
【００１６】
また、本考案のブラジャー用物干しハンガーによれば、線形部材で形成される挟持クリップ部が内側に付勢していることから、ブラジャーを挟持する洗濯ピンチなどが不要となり、さらにブラジャー生地に洗濯ピンチによる挟み跡が残らない優れた効果を奏する。
【００１７】
また、本考案のブラジャー用物干しハンガーによれば、吊持フック部を挟持クリップ部に容易に引っ掛けられる構造であることから、上下に連続的に吊下することができるもので、干し場スペースがない場所でも効率よく使用できる上、販売用のディスプレィハンガーとしても視覚的に美しく且つ効率的に商品陳列ができる優れた効果を奏する。
【００１８】
また、本考案のブラジャー用物干しハンガーによれば、吊持フック部の頂点付近に三段階構造で形成される洗濯ロープ移動防止溝を設けることによって、洗濯ロープに吊られる物干しハンガーを確実に固定できる優れた効果を奏する。
【００１９】
また、本考案のブラジャー用物干しハンガーによれば、二つの椀形支持体を組み合わせた球状支持体と、伸縮性を有する洗濯ネット袋と、から成る洗濯用形崩れ防止具を使用することによって、ブラジャーの締付けバンドならびに肩紐を球状支持体の骨組み構造の隙間内に押し込み、さらに伸縮性を有する洗濯ネット袋に収納することで締め付けられてブラジャーと球状支持体と洗濯ネット袋が適度な空間を持った状態で入り包まっているため、洗濯時においてブラジャーの生地を傷めることなく、またブラジャーの型崩れを防止することができる優れた効果を奏する。
【００２０】
また、本考案のブラジャー用物干しハンガーによれば、販売者が、吊持フック部と挟持クリップ部と連結ブリッジ部との組み合わせと、二つの椀形支持体との組み合わせを別々に分けて販売・提供することにより、購入者は自分のバストサイズに合ったブラジャー用物干しハンガーが選択できると共に、乾燥専用のブラジャー用物干しハンガーとしてや、洗濯専用のブラジャー用形崩れ防止具として利用することができる優れた効果を奏する。
【図面の簡単な説明】
【００２１】
【図１】本考案のブラジャー用物干しハンガーにおける請求項１記載の実施形態を示す全体斜視図である。（実施例１）
【図２】本考案のブラジャー用物干しハンガーにおける請求項１記載の使用状態を示す全体斜視図である。（実施例２）
【図３】本考案のブラジャー用物干しハンガーにおける請求項１記載の別の使用例を示す全体斜視図である。（実施例３）
【図４】本考案のブラジャー用物干しハンガーにおける請求項２記載の実施形態を示す拡大説明図である。（実施例４）
【図５】本考案のブラジャー用物干しハンガーにおける請求項３記載の実施形態を示す説明図である。（実施例５）
【図６】本考案のブラジャー用物干しハンガーにおける請求項３記載の使用手順を示す説明図である。（実施例６）
【考案を実施するための形態】
【００２２】
本考案のブラジャー用物干しハンガーは、洗濯ロープ等に引っ掛ける吊持フック部と、ブラジャーを挟み込む挟持クリップ部と、ブラジャーの形を整えて保持する二つの椀形支持体と、該二つの椀形支持体を連結する連結ブリッジ部から構成され、吊持フック部と前挟持クリップ部の回動ジョイント同士を連結して回動可能とし、さらに、椀形支持体と前連結ブリッジ部、及び前記挟持クリップ部と連結ブリッジ部の固定ジョイント同士を其々連結固定して組み立てられる手段と、吊持フック部の頂点付近に広角状の導入部と、テーパ状の締め付け部と、平行間隔の固定部の三段階構造で形成される洗濯ロープ移動防止溝を設けた手段と、椀形支持体を組み合わせた球状支持体と、伸縮性を有する洗濯ネット袋とから成る手段を採ったことを最大の特徴とするもので、以下、実施例を図面を基に説明する。
【００２３】
尚、以下に記載される方向位置の表示は、図１（a）、（ｂ）で示すように、ブラジャー用物干しハンガー１が使用される状態に対して吊持フック部１０が設けられている方向を上方向、対峙する方向を下方向とし、二つの椀形支持体３０が並ぶ方向の左側を左方向、右側を右方向とし、挟持クリップ部２０の固定ジョイント２２が設けられている方向を前方向、対峙する線形部材のＳ字形が開口している方向を後方向と位置付ける。
【００２４】
また、本実施例で示される寸法ならびに形状や材質は、下記に述べる実施例に限定されるものでなく、本考案の技術的思想に逸脱しない範囲で任意に変更することができる。特に本考案によるブラジャー用物干しハンガーの全体形状を針金や打ち抜き板金材などで折り曲げてカシメることによって金属製のブラジャー用物干しハンガーとすることもできる。
【実施例１】
【００２５】
図１は、本考案のブラジャー用物干しハンガーにおける請求項１記載の実施形態を示す全体斜視図である。
図（a）は、ブラジャー用物干しハンガーの全体斜視図を示す。
本考案のブラジャー用物干しハンガー１は、洗濯ロープＲ等に引っ掛けられる吊持フック部１０と、ブラジャーＢを挟み込む挟持クリップ部２０と、ブラジャーＢの形を整えて支持する二つの椀形支持体３０と、該二つの椀形支持体３０を連結する連結ブリッジ部４０で構成される。
【００２６】
図（b）は、ブラジャー用物干しハンガーの分解斜視図を示す。
本考案のブラジャー用物干しハンガー１は、吊持フック部１０と挟持クリップ部２０の回動ジョイント１１,２２同士を連結して回動可能とし、さらに、椀形支持体３０と連結ブリッジ部４０の固定ジョイント３２，４１同士を連結固定し、またさらに、挟持クリップ部２０と連結ブリッジ部４０の固定ジョイント２３，４１同士を連結固定して組み立てられる構造を有する。
【００２７】
吊持フック部１０は、上端部に洗濯ロープＲ等に引っ掛けられる線形部材で略Ｃ字状に形成されるフック部と、下端部には回動ジョイント１１を設け、フック部を引っ掛ける洗濯ロープＲに対して回動自在に方向を変える構造を有する。
【００２８】
回動ジョイント１１は、下端部に球状突起１１aを形成し、連結する略Ｓ字状に形成される挟持クリップ部２０の上端部に設けられる回動ジョイント２２の段差付溝穴２２aに嵌め込まれ回動自在に連結する構造を有する。
【００２９】
挟持クリップ部２０は、線形部材を略Ｓ字状に延設して形成され、上端部には吊持フック部１０に連結する回動ジョイント２２を設け、下端部には連結ブリッジ部４０に連結固定される固定ジョイント２３を回転防止ならびに補強構造２４を備えて設けてある。また略Ｓ字状に形成される線形部材が内側に開口して付勢していることから、ブラジャー生地に洗濯ピンチによる挟み跡が残らない構造を有する。
【００３０】
回動ジョイント２２は、挟持クリップ部２０の線形部材の略Ｓ字状に延設される上端部に段差付溝穴２２aを有して設けられ、吊持フック部１０の回動ジョイント１１の球状突起１１aに嵌め込まれて回動自在に連結する構造を有する。
【００３１】
固定ジョイント２３は、挟持クリップ部２０の線形部材の略Ｓ字状に延設される下端部に
角状突起２３aを形成し、連結ブリッジ部４０の固定ジョイント４１の段差付角状溝穴２３ｂに嵌め込まれ連結固定される構造を有する。                                                
【００３２】
椀形支持体３０は、左右対称の二つの椀状の骨組み構造を有し、下部周縁のフランジ部３１側面に連結ブリッジ部４０と連結固定される固定ジョイント３２を設けて形成される。骨組み構造は、棒状またはスリット状に隙間３３を設けて成型され、ブラジャーＢを支持する構造と、使用者のバストの大きさに合わせて任意に交換できる構造を有する。
【００３３】
フランジ部３１は、椀形支持体３０の下部周縁にリング状または鍔状に設けられ、ブラジャーＢのカップの大きさに対応するリブ的補強構造を兼ねて形成されている。
【００３４】
固定ジョイント３２は、フランジ部３１の周縁側面に段差付角状溝穴３２aを形成して設けられ、連結ブリッジ部４０の固定ジョイント４１に連結固定される構造を有する。また、段差付角状溝穴３２aの深さを長くして連結ブリッジ部４０の角状突起４１aを深く受け入れることで連結する剛性を高めることができる。
【００３５】
連結ブリッジ部４０は、二つの椀形支持体３０を連結固定し、さらに吊持フック部１０と挟持クリップ部２０を支える役目を果たすもので、両側面部と前方部とに固定ジョイント４１を設けてそれらを連結固定する構造を有する。
【００３６】
固定ジョイント４１は、角状突起部４１aを形成し、挟持クリップ部２０と連結ブリッジ部４０の段差付角状溝穴４１ｂに其々嵌め込まれ、連結固定される構造を有する。尚、着脱自在とする仕様の場合は、回動ジョイント１１の球状突起１１aならびに段差付溝穴２２aとしても良い。
【実施例２】
【００３７】
図２は、本考案のブラジャー用物干しハンガーにおける請求項１記載の使用状態を示す説明図である。
図（ａ）は、本考案のブラジャー用物干しハンガーにブラジャーをセットする以前の状態を示す説明図である。
図１（ｂ）で構成される各パーツを図１（ａ）の様に組み立てた物干しハンガー１に、挟持クリップ部２０の線形部材を略Ｓ字状に延設して開口される方向にブラジャーＢの連結部Ｂｃを差し込んでセットするものである。
【００３８】
図（ｂ）は、本考案のブラジャー用物干しハンガーにブラジャーをセットした状態を示す説明図である。
セットされたブラジャーＢは、挟持クリップ部２０の線形部材を略Ｓ字状に延設して下側に付勢される開口部２１によって挟持される。
【００３９】
図（ｃ）は、本考案のブラジャー用物干しハンガーにブラジャーが干される状態を示す説明図である。
洗濯ロープＲに吊持されるブラジャー用物干しハンガー１は、吊持フック部１０を回動させて洗濯ロープＲと直交する方向に向きを変えて吊持することによって効率よく多数の物干しハンガーを干すことができる。
【実施例３】
【００４０】
図３は、本考案のブラジャー用物干しハンガーにおける請求項１記載の別の使用例を示す全体斜視図である。
本考案の物干し用のハンガー以外の使用例として、部屋干した状態から手間をかけないでそのままタンス収納することができる従来にない使い勝手に良いコンパクトな収納ハンガーとして利用できるものである。また、図示されるように吊持フック部１０を略Ｓ字状の挟持クリップ部２０の線形部材に連続的に引っ掛けて吊下することによって、干し場スペースがない場所でも効率よく使用できる上、視覚的に美しく且つ効率的な商品陳列ができるディスプレィハンガーとしても利用できる構造を有する。
【実施例４】
【００４１】
図４は、本考案のブラジャー用物干しハンガーにおける請求項２記載の実施形態を示す拡大説明図である。
図（ａ）は、洗濯ロープ移動防止溝の形状を示す拡大図である。
洗濯ロープ移動防止溝５０は、ブラジャー用物干しハンガー１の吊持フック１１の頂点付近に広角状の導入部５１とテーパ状の締め付け部５２と平行間隔の固定部５３の三段階構造を設けて形成される。
【００４２】
図（ｂ）は、洗濯ロープ移動防止溝の拡大詳細図である。
従来の物干しハンガーのフック部に設けられる洗濯ロープ移動防止溝は、広角状の導入部とテーパ状の締め付け部のみで形成されるため、洗濯ロープＲから物干しハンガーが強風や衝撃によって時折外れることがあったが、従来のフック部に本考案の平行間隔の固定部５３を新たに設けて、意識的に洗濯ロープＲを平行間隔の固定部５３引き込むことによってブラジャー用物干しハンガー１を確実に固定することができる。
【００４３】
図（ｃ）は、洗濯ロープ移動防止溝の作用状態を示す説明図である。
（１）洗濯ロープＲを洗濯ロープ移動防止溝５０の広角状の導入部５１に誘導する。
（２）ブラジャー用物干しハンガー１を下方向に引っ張って、洗濯ロープＲをテーパ状の締付け部５２で締め付ける。
（３）さらに洗濯ロープＲを平行間隔の固定部５３へ引き込み、洗濯ロープＲに吊るされるブラジャー用物干しハンガー１を確実に固定する方法を採ることができる。
【実施例５】
【００４４】
図５は、本考案のブラジャー用物干しハンガーにおける請求項３記載の実施形態を示す説明図である。
図（ａ）は、二つの椀形支持体の組み合わせ前の状態示す斜視図である。
図（ｂ）は、二つの椀形支持体を組み合わせて球状支持体とした状態示す斜視図である。
二つの椀形支持体３０を組み合わせた球状支持体６１と、伸縮性を有する洗濯ネット袋６３と、から成る洗濯用形崩れ防止具６０であって、球状支持体６１は、フランジ部３１の底面に着脱自在に連結する嵌め合い溝６２を介して組み合わされる二つの椀形支持体３０から成り、洗濯ネット袋６３は、ファスナーＦで開閉自在に収納することができる伸縮性を有するネット状の袋体を形成して成り、ブラジャーＢの二つのカップ部を折り畳んで球状支持体６１を被包し、該球状支持体６１の骨組み構造の隙間６４内にブラジャーＢの締付けバンドＢaならびに肩紐Ｂbを押し込んで伸縮性を有する洗濯ネット袋６３に収納することで締め付けられることによって、洗濯時のブラジャーの形崩れを防止する構造を有する。
【００４５】
嵌め合い溝６２は、椀形支持体３０のフランジ部３１の底面に凹凸状の勘合溝を設け、相対して着脱自在に連結する構造を有する。勘合度合いはやや強めとするが、外部から伸縮自在の洗濯ネット袋６３によって締め付けられるため、それほど高い嵌め合い精度は要求されない。
【００４６】
尚、椀形支持体３０の仕様としては、ブラジャー用物干しハンガー１に固定的に設けられて専用的に使用される仕様と、球状支持体６１を形成する別個の椀形支持体３０としてフランジ部３１の底面に嵌め合い溝６２設けて洗濯用形崩れ防止具６０として専用的に使用される二通りの仕様が考えられる。
【実施例６】
【００４７】
図６は、本考案のブラジャー用物干しハンガーにおける請求項３記載の使用手順を示す説明図である。
（１）フランジ部３１の底面に着脱自在に連結する嵌め合い溝６２を介して二つの椀形支持体３０同士を当接させて球状支持体６１を組み立てる。
（２）ブラジャーカップの凹部を上方にして片方の凹部に球状支持体６１を載せる。
（３）ブラジャーＢを折り畳んで球状支持体６１を被包する。
（４）球状支持体６１の骨組み構造の隙間６４にブラジャーＢの締付けバンドＢaならびに肩紐Ｂbを押し込む。
（５）洗濯ネット袋６３にブラジャーＢを収納し、洗濯ネット袋６３に設けられているファスナーＦで閉じる。
（６）ブラジャーＢは、伸縮自在の洗濯ネット袋６３によって締め付けられると同時に、球状支持体６１に押し込まれるブラジャーＢの締付けバンドＢaならびに肩紐Ｂbが隙間６４に適度な空間を持った状態で入り包まっているため、ブラジャーＢの生地を傷めることなく、且つ形崩れすることなく洗濯できるものである。
【産業上の利用可能性】
【００４８】
本考案のブラジャー用物干しハンガーは、主に洗濯物の物干ハンガーとして利用されるが、その他の利用方法として収納用ハンガーとしてや、ディスプレィハンガーとして利用できるもので、さらにその物干しハンガーの一部品を使用して洗濯用形崩れ防止具として利用することができるもので、本考案によるブラジャー用物干しハンガーの産業上の利用可能性は極めて高いものと解する。
【符号の説明】
【００４９】
１  ブラジャー用物干しハンガー
１０  吊持フック部
１１  回動ジョイント
１１a球状突起
２０  挟持クリップ部
２１  開口部
２２  回動ジョイント
２２a段差付溝穴
２３  固定ジョイント
２３a角状突起
２３b段差付角状溝穴
２４  回転防止ならびに補強構造
３０  椀形支持体
３１  フランジ部
３２  固定ジョイント
３２a段差付角状溝穴
３３  隙間
４０  連結ブリッジ部
４１  固定ジョイント
４１a角状突起
４１b段差付角状溝穴
５０  洗濯ロープ移動防止溝
５１  導入部
５２  締め付け部
５３  固定部
６０  洗濯用形崩れ防止具
６１  球状支持体
６２  嵌め合い溝
６３  洗濯ネット袋
６４  隙間
Ｂ    ブラジャー
Ｂa  
締付けバンド
Ｂb  
肩紐
Ｂc  
連結部
Ｒ    洗濯ロープ
Ｆ    ファスナー
【図１】
0003163737.tif 000003
【図２】
0003163737.tif 000004
【図３】
0003163737.tif 000005
【図４】
0003163737.tif 000006
【図５】
0003163737.tif 000007
【図６】
0003163737.tif 000008